(57)【要約】【課題】幼児が付けるヘアーゴム等に着目し、従来にはない格別な効果を発揮させることが可能なヘアーゴム及び髪止め具を提供することにある。【解決手段】取付具４には、スリット４ａ１が形成されており、カシメ部材１ｅとして機能する。矢印の方向に移動させることにより、ヘアーゴム１に嵌め込まれる。そして、取付具４は、結び目１ｄの方向へ移動される。取付具４は、結び目１ｄと先端１ｂ及び先端１ｃを完全に覆った状態となっており、更にチューブ４ａ（カシメ部材１ｅ）をカシメ具で圧接することにより、スリット４ａ１は溶着効果により消えてしまう。また、結び目１ｄも隠れて見えなくなり、金や銀で華やかなアクセサリーと鈴５がついた１本の輪ゴムのようになる。この場合、チューブ４ａの内部に結び目１ｄと先端１ｂ及び先端１ｃが入っているので、その分だけ内圧がかかり外れにくくなるという効果もある。【選択図】図６
2007082641.tif 000002
【特許請求の範囲】
【請求項１】
髪の毛を束ねて止めるヘアーゴムにおいて、
前記ヘアーゴムには、取付具を介して鈴が取り付けられていること、
を特徴とするヘアーゴム。
【請求項２】
髪の毛を止める髪止め具において、
前記髪止め具には、取付具を介して鈴が取り付けられていること、
を特徴とする髪止め具。
【発明の詳細な説明】
【技術分野】
【０００１】
本発明は、髪の毛を束ねて止めるヘアーゴム又は髪の毛を止める髪止め具に関する。
【背景技術】
【０００２】
従来より髪の毛を束ねて止めるためのヘアーゴムは知られており、例えば、女の子の髪の毛をポニーテールやオチョンボにするのに利用される。また、可愛らしさを引き出すためにヘアーゴムにはアクセサリーとして人形、ビーズ、ボタン類やキャラクターグッズ等が固定されているものも存在する。
【０００３】
しかし、その様なアクセサリー付きヘアーゴムは、確かに見た目において華やかになるものの、それ以上の効果は特段期待できない。
【発明の開示】
【発明が解決しようとする課題】
【０００４】
ところで話は変わるが、親が少し目を話した隙に幼子が誘拐され行方不明になったり、交通事故などに遭って最悪は命を落とすケースもあり、親たちは子供を外で遊ばすだけでも大変である。
【０００５】
特に、歩き始めの幼児、保育園児や幼稚園児など小学校に入る前の子供達の場合には、何にでも興味を持つあまり、例えば蝶々や虫を追いかけて突然道路に飛び出したり、親が知らぬ間に徘徊して危険な場所へ迷い込んだりするので、常に注意を払うことは勿論のこと、居場所を容易に把握するための更なる対策を講じる必要がある。
【０００６】
本発明は、上記の問題点を解決する為になされたものであり、幼児（男女を問わない）が付けるヘアーゴム等に着目し、従来にはない格別な効果を発揮させることが可能なヘアーゴム及び髪止め具を提供することを目的とする。
【０００７】
なお、ヘアーゴム及び髪止め具に関して、本願発明に比較的近いと思われる第１従来技術（特許文献１）としては、「髪止めによる、サーフィンボード・キャラクター・人工毛を一体化可能な立体感あふれるヘアーポイントファッション用具を提供する。」ことを課題とし、「本体上部（４）と本体下部（５）の頭部分にバネ（６）にバネ心棒（７）を差し込み合体し、本体髪止め（１）の表面中央にボード（２）を取り付け、ボード（２）の表面にキャラクター（３）を合体する。なお本体下部（５）のゴム差し込み穴（１３）に人工毛セットゴムを装着し、一体化できることを合わせて作られた、ヘアーポイントファッション用具」という出願が公開されている。
【０００８】
第２従来技術（非特許文献１）としては、インターネット上のバーチャルショップである「手作りヘアゴムリボン髪飾り，羊毛フェルト雑貨，トールペイントのお店」が「ゆかた☆七五三に♪ちりめんリボン(ピンク)リボンサイズ縦10cm×横13cmほど。ちりめん素材(土台布、丸紐、花モチーフ)はすべて日本製です。中央に鈴がついていて動くと可愛い音がしますよ。裏側はコーム4.5cm使用。まとめた髪の上側から差し込んで下さい。」との記載と共に関連商品を出品している。
【０００９】
第３従来技術（非特許文献２）としては、インターネット上の個人の日記中に「市販の首輪はまだ重いので時々これに変えます。『かっこわるっ』とお友達には不評です(泣)サラサラと降り積もる時間の中で一枚。これも多分，もうすぐしなくなる。その時々の『いちばん』を選んで。」との記載と共に「鈴付きヘアゴム」を開示している。
【特許文献１】特開２００１−６１５３５
【非特許文献１】http://efurima.com/mall6/cocoro3.shtml
【非特許文献２】http://blog.goo.ne.jp/tinkerbell1227/c/1c83a3e575f96638d5844793f3dd9d4c
【課題を解決するための手段】
【００１０】
請求項１に係る本発明のヘアーゴムは、上記の目的を達成するために、髪の毛を束ねて止めるヘアーゴムにおいて、前記ヘアーゴムには、取付具を介して鈴が取り付けられていることを特徴とする。
【００１１】
請求項２に係る本発明の髪止め具は、髪の毛を止める髪止め具において、前記髪止め具には、取付具を介して鈴が取り付けられていることを特徴とする。
【発明の効果】
【００１２】
本発明に係るヘアーゴム及び髪止め具によれば、取付具を介して鈴や発音装置が取り付けられており、それらを用いて髪の毛を束ねて止めれば、幼児が移動する度に鈴等が音を発するので、母親たちは通常の注意に加え、鈴の音を確認するだけで居場所を容易に把握することが可能になる。
【発明を実施するための最良の形態】
【００１３】
まず、用語の意義又は意味を定義する。
【００１４】
「ヘアーゴム」とは、髪の毛を止めるための弾性を備えるゴム輪又は環状のゴム紐などである。輪又は環状にするために、紐状の弾性体の両端を結んだり、接着剤や圧着、カシメにて接続固定する。また、結び目や繋ぎ目のない輪ゴムとして形成される。
【００１５】
以下、本発明の実施の形態を図面と共に詳細に説明する。
【００１６】
実施例１：
図１は、ヘアーゴムの概略図である。また、図１（Ａ）は紐状の弾性体、図１（Ｂ）は弾性体の両端を結んで輪又は環状にした状態、図１（Ｃ）は弾性体の両端を接着剤とともに熱圧着して、結び目や繋ぎ目をなくした状態、及び図１（Ｄ）はカシメにて接続固定した状態である。
【００１７】
１ａは紐状又は糸状の弾性体である（図１（Ａ）参照）。
【００１８】
弾性体１ａの先端１ｂ及び先端１ｃを蝶々結びやダンゴ結びで固定することにより、結び目１ｄがあるリング状又は環状のヘアーゴム１を形成する（図１（Ｂ）参照）。
【００１９】
図１（Ｃ）に示すヘアーゴム１は、弾性体１ａの先端１ｂ及び先端１ｃをつき合わせ、接着剤を塗布して加熱しながら圧着することにより、結び目や繋ぎ目がなくなり、あたかも１本の輪ゴムのようになる。なお、これは日本特有の製法である。
【００２０】
図１（Ｄ）に示すヘアーゴム１は、弾性体１ａの先端１ｂ及び先端１ｃを管状のカシメ部材１ｅ（アルミや真鍮の管に金や銀メッキを施しており、アクセサリとして高級感がある。この管にはスリットを形成している場合もある。）の両端に差し入れた後、カシメ具で圧接することにより、結び目がなくなり、金や銀のアクセサリーがついた１本の輪ゴムのようになる。結び目や繋ぎ目をなくす他の方法としては、例えば、筒状の弾性体を輪切りにすることにより所望の大きさや厚さのヘアーゴム１（輪ゴム）が形成される。
【００２１】
図２は、ヘアーゴムの断面図である。
【００２２】
図２（Ａ）に示すとおり、ヘアーゴム１（弾性体１ａ）は、天然ゴムあるいは合成ゴム等による弾性材料から形成した１本の芯材２と、その外周を伸縮性のあるカラフルな色の被覆体３で覆うことにより形成される。この被覆体３は、チリメンや毛糸でもかまわないが、例えばナイロン、ポリアミド、ポリエステル、ポリエチレンなどの合成繊維糸を互いに交錯させながら組みつける（編み上げる）ことにより伸縮性と強じん性を持たすことができる。
【００２３】
図２（Ｂ）に示すとおり、ヘアーゴム１（弾性体１ａ）は、７本の芯材２と被覆体３で形成される。この様に、複数の芯材２を用いることにより、実使用上の耐久性が増す。つまり、７本の芯材２の内、何本かが切れたとしても、ヘアーゴムの通常の用途に十分に耐え得るのである。なお、この被覆体３は、天然ゴムまたは合成ゴムから成形されたチューブであってもよい。
【００２４】
図３は、取付具の概要図である。
【００２５】
図３（Ａ）に示すとおり、４は、鈴５をヘアーゴム１に取り付ける為の取付具であり、チューブ４ａ及びリング４ｂで構成される。
【００２６】
チューブ４ａには、ヘアーゴム１を嵌め込む為のスリット４ａ１及びリング４ｂを通す取付穴４ａ２が形成されている。
【００２７】
チューブ４ａは、樹脂素材を金型にて一体成形されるのであるが、成形の方法としては一般に、射出成形、押出成形、発泡成形や真空成形などが用いられる。また、スリット４ａ１及び取付穴４ａ２は、この金型による成型と同時に形成される。
【００２８】
その樹脂材料としては、汎用樹脂であるABS（アクリロニトリル・ブタジエン・スチレン）、PE（ポリエチレン）、PP（ポリプロピレン）、PS（ポリスチレン）、エンプラのPA(ポリアミド[ナイロン])、PC(ポリカーボネート)、POM(ポリアセタール)、PPE(ポリフェニレンエーテル)、PET(ポリエチレンテレフタレート)、PBT(ポリブチレンテレフタレート)、PMMA(ポリメタクリル酸メチル)、スーパーエンプラのPPS(ポリフェニレンサルファイド)、LCP(液晶ポリマ)、PSF(ポリスルホン)、PES(ポリエーテルスルホン)、PAR(ポリアリレート)及び熱硬化性樹脂のフェノール樹脂、メラミン樹脂、エポキシ樹脂、不飽和ポリエステル樹脂、ポリウレタン、ユリア樹脂などが用いられる。一方、筒状で直径数ｍｍの樹脂や金属パイプを１ｃｍ〜２ｃｍ程度に切断し、それにスリット４ａ１及び取付穴４ａ２を後加工して形成してもよい。
【００２９】
このスリット４ａ１の幅は、約０．１ｍｍ〜１ｍｍ程度のもので、ヘアーゴム１の太さによって適宜選択される。なお、チューブ４ａは、アルミや真鍮の管にスリット４ａ１及び取付穴４ａ２を後加工して形成し、金や銀メッキを施したカシメ部材１ｅをそのまま利用できる。
【００３０】
リング４ｂは、一般のバネ材（バネ鋼鋼材、硬鋼線、ピアノ線、オイルテンパー線、ステンレス鋼線、黄銅線など）で加工されており、非常に狭い幅のスリット４ｂ１が形成されている。なお、リング４ｂとして、キーホルダー等に用いられる２巻き程度の螺旋バネを使用することも可能である。
【００３１】
５は、一般的な鈴であり、リング４ｂを通すための継手５ａが形成されている。
【００３２】
図３（Ｂ）に示すとおり、取付具４には、リング４ｂが取付穴４ａ２と継手５ａとを通ることにより、鈴５が取り付けられる。つまり、取付具４にリング４ｂを介して鈴５が取り付けられており、チューブ４ａはカシメ部材１ｅを兼ねることができる。
【００３３】
図４は、取付具とヘアーゴムとの関係を示す概要図であり、図４（Ａ）は取り付け前の状態及び図４（Ｂ）は取り付け後の状態を示している。
【００３４】
ヘアーゴム１は、スリット４ａ１の間を通って、チューブ４ａの内部にはめ込まれる（図４（Ａ）参照）。
【００３５】
そして、ヘアーゴム１には、取付具４を介して鈴５が取り付けられるのである（図４（Ｂ）参照）。
【００３６】
図５は、鈴が取り付けられたヘアーゴムの全体図である。
【００３７】
図５（Ａ）は、図１（Ｂ）のヘアーゴム１に、図３（Ｂ）の鈴５が取り付けられた取付具４を嵌め込んだ状態を示している。
【００３８】
図５（Ｂ）は、図１（Ｃ）のヘアーゴム１に、図３（Ｂ）の鈴５が取り付けられた取付具４を嵌め込んだ状態を示している。この様な構成とすることにより、鈴５を容易に取り付け及び取り外すことが可能となる。
【００３９】
図６は、鈴付きヘアーゴムの製造手順を示す状態遷移図である。
【００４０】
図６（Ａ）は、図１（Ｂ）のヘアーゴム１と、図３（Ｂ）の鈴５が取り付けられた取付具４を示している。この取付具４には、スリット４ａ１が形成されており、図１（Ｄ）に示したカシメ部材１ｅとして機能する。また、取付具４は、矢印の方向に移動させることにより、ヘアーゴム１に嵌め込まれる。
【００４１】
図６（Ｂ）は、図６（Ａ）の状態から、鈴５が取り付けられた取付具４がスリット４ａ１を通って、ヘアーゴム１に嵌め込まれた状態を示している。そして、取付具４は、矢印の方向（つまり、結び目１ｄの方向）へ移動される。
【００４２】
図６（Ｃ）は、図６（Ｂ）の状態から、取付具４が結び目１ｄの方向へ移動した状態を示している。取付具４は、結び目１ｄと先端１ｂ及び先端１ｃを完全に覆った状態となっており、更にチューブ４ａ（カシメ部材１ｅ）をカシメ具で圧接することにより、スリット４ａ１は溶着効果により消えてしまう。また、結び目１ｄも隠れて見えなくなり、金や銀で華やかなアクセサリーと鈴５がついた１本の輪ゴムのようになる。この場合、チューブ４ａの内部に結び目１ｄと先端１ｂ及び先端１ｃが入っているので、その分だけ内圧がかかり外れにくくなるという効果もある。
【００４３】
図７は、鈴付きヘアーゴムの製造手順を示す状態遷移図である。
【００４４】
図７（Ａ）は、図１（Ａ）の弾性体１ａと、図３（Ｂ）の鈴５が取り付けられた取付具４を示している。この取付具４は、図１（Ｄ）に示したカシメ部材１ｅとして機能する。
【００４５】
弾性体１ａの先端１ｂ及び先端１ｃは、矢印の方向に移動させることにより、取付具４の管の両端に差し入れられる。
【００４６】
図７（Ｂ）は、図７（Ａ）の状態から、弾性体１ａの両先端が取付具４の管の両端に差し入れられた状態を示している。
【００４７】
取付具４は、管の中央付近で弾性体１ａの両先端が当たった状態で完全に覆っており、更にチューブ４ａ（カシメ部材１ｅ）をカシメ具で圧接することにより、金や銀で華やかなアクセサリーと鈴５がついた１本の輪ゴムのようになる。
【００４８】
図８は、取付具の概要図である。
【００４９】
４は、鈴５をヘアーゴム１に取り付ける為の取付具であり、Ｕ字部材４ｃ及びリング４ｂで構成される。
【００５０】
Ｕ字部材４ｃには、リング４ｂを通す２つの取付穴４ｃ１が形成されている。
【００５１】
Ｕ字部材４ｃは、通常、薄いステンレス板やアルミ板を金型で抜き、それをＵ字型に曲げることにより作られる。また、Ｕ字部材４ｃは、チューブ４ａと同様に、樹脂素材を金型にて一体成形され、樹脂材料も同じものが採用可能である。そして、取付穴４ｃ１は、この金型による成型と同時に形成される。
【００５２】
Ｕ字部材４ｃは、図の矢印方向に移動され、ヘアーゴム１を挟み込む状態となる。
【００５３】
この状態で、リング４ｂが２つの取付穴４ｃ１と継手５ａとを通ることにより、鈴５が取り付けられる。
【００５４】
図９は、鈴が取り付けられたヘアーゴムの要部拡大図である。
【００５５】
ヘアーゴム１には、図８で説明したようにして、取付具４のリング４ｂを介して鈴５が取り付けられている。
【００５６】
図１０は、取付具及び鈴が取り付けられたヘアーゴムの要部拡大図である。
【００５７】
４は、鈴５をヘアーゴム１に取り付ける為の取付具であり、取付穴４ｄ１、操作爪４ｄ２、止め爪４ｄ３及びフック４ｄ４で構成される（図１０（Ａ）参照）。但し、リング４ｂも含む。
【００５８】
操作爪４ｄ２を矢印の方向（下方向）に操作すると、止め爪４ｄ３が矢印の方向（左方向）に移動して、フック４ｄ４との間に隙間ができる。その状態で、ヘアーゴム１をフック４ｄ４に引っ掛けて操作爪４ｄ２を元に戻すと、止め爪４ｄ３も初期位置へ戻る。
【００５９】
図１０（Ｂ）に示すとおり、ヘアーゴム１には、取付具４のリング４ｂを介して鈴５が取り付けられている。
【００６０】
図１１は、取付具及び鈴が取り付けられたヘアーゴムの要部拡大図である。
【００６１】
４は、鈴５をヘアーゴム１に取り付ける為の取付具であり、取付穴４ｅ１、フック４ｅ２及び止め爪４ｅ３で構成される（図１１（Ａ）参照）。但し、リング４ｂも含む。
【００６２】
止め爪４ｅ３は、ヘアーゴム１で押すことにより矢印の方向（左方向）に移動し、フック４ｅ２との間に隙間ができる。その状態で、ヘアーゴム１をフック４ｅ２の中まで入れると、自動的に止め爪４ｅ３も初期位置へ戻る。
【００６３】
図１１（Ｂ）に示すとおり、ヘアーゴム１には、取付具４のリング４ｂを介して鈴５が取り付けられている。
【００６４】
図１２は、取付具及び鈴が取り付けられたヘアーゴムの要部拡大図である。
【００６５】
４は、鈴５をヘアーゴム１に取り付ける為の取付具であり、２つの取付穴４ｆ１、ヘアーゴム１の案内溝４ｆ２、止め穴４ｆ３及び止めピン４ｆ４で構成される（図１２（Ａ）参照）。但し、リング４ｂも含む。
【００６６】
まず、左の案内溝４ｆ２にヘアーゴム１を嵌め込み、折り目部４ｆ５から折り畳んで、止め穴４ｆ３に止めピン４ｆ４を差し込む。この状態で、リング４ｂが２つの取付穴４ｆ１と継手５ａとを通ることにより、鈴５が取り付けられる（図１２（Ｂ）参照）。
【００６７】
図１３は、取付具及び鈴が取り付けられたヘアーゴムの要部拡大図である。
【００６８】
４は、鈴５をヘアーゴム１に取り付ける為の取付具であり、２つの取付穴４ｇ１、ヘアーゴム１の案内溝４ｇ２、止め穴４ｇ３及び止めピン４ｇ４で構成される（図１３（Ａ）参照）。但し、リング４ｂも含む。
【００６９】
まず、上の案内溝４ｇ２にヘアーゴム１を嵌め込み、折り目部４ｇ５から折り畳んで、止め穴４ｇ３に止めピン４ｇ４を差し込む。この状態で、リング４ｂが２つの取付穴４ｇ１と継手５ａとを通ることにより、鈴５が取り付けられる（図１３（Ｂ）参照）。
【００７０】
図１４は、鈴が取り付けられたヘアーゴムの要部拡大図である。
【００７１】
４は、鈴５をヘアーゴム１に取り付ける為の取付具（リング）である。リング４が継手５ａを通ることにより、ヘアーゴム１に鈴５が取り付けられる（図１４（Ａ）参照）。
【００７２】
また、図１４（Ｂ）に示すとおり、２つ又は複数の鈴５をリング４によって取り付けることも可能である。
【００７３】
実施例２：
図１５は、鈴が取り付けられた髪止め具の斜視図である。
【００７４】
６は、髪止め具であり、取付穴から図１０で示した鈴５付きの取付具４が取り付けられている。
【００７５】
図１６は、鈴が取り付けられた髪止め具の一部断面図である。
【００７６】
６は、髪止め具であり、取付穴から図１４で示したように、鈴５がリング４を介して取り付けられている。
【図面の簡単な説明】
【００７７】
【図１】ヘアーゴムの概略図である。
【図２】ヘアーゴムの断面図である。
【図３】取付具の概要図である。
【図４】取付具とヘアーゴムとの関係を示す概要図である。
【図５】鈴が取り付けられたヘアーゴムの全体図である。
【図６】鈴付きヘアーゴムの製造手順を示す状態遷移図である。
【図７】鈴付きヘアーゴムの製造手順を示す状態遷移図である。
【図８】取付具の概要図である。
【図９】鈴が取り付けられたヘアーゴムの要部拡大図である。
【図１０】取付具及び鈴が取り付けられたヘアーゴムの要部拡大図である。
【図１１】取付具及び鈴が取り付けられたヘアーゴムの要部拡大図である。
【図１２】取付具及び鈴が取り付けられたヘアーゴムの要部拡大図である。
【図１３】取付具及び鈴が取り付けられたヘアーゴムの要部拡大図である。
【図１４】鈴が取り付けられたヘアーゴムの要部拡大図である。
【図１５】鈴が取り付けられた髪止め具の斜視図である。
【図１６】鈴が取り付けられた髪止め具の一部断面図である。
【符号の説明】
【００７８】
１        ヘアーゴム
１ａ      弾性体
１ｂ      先端
１ｃ      先端
１ｄ      結び目
１ｅ      カシメ部材
２        芯材
３        被覆体
４        取付具
４ａ      チューブ
４ｂ      リング
４ｃ      Ｕ字部材
５        鈴
５ａ      継手
６        髪止め具
【図１】
2007082641.tif 000003
【図２】
2007082641.tif 000004
【図３】
2007082641.tif 000005
【図４】
2007082641.tif 000006
【図５】
2007082641.tif 000007
【図６】
2007082641.tif 000008
【図７】
2007082641.tif 000009
【図８】
2007082641.tif 000010
【図９】
2007082641.tif 000011
【図１０】
2007082641.tif 000012
【図１１】
2007082641.tif 000013
【図１２】
2007082641.tif 000014
【図１３】
2007082641.tif 000015
【図１４】
2007082641.tif 000016
【図１５】
2007082641.tif 000017
【図１６】
2007082641.tif 000018